(57)【特許請求の範囲】
【請求項１】
通話機能を有する端末装置であって、
タッチデバイスと、
前記端末装置の長辺方向、短辺方向、および厚み方向の３方向の動きを検出するためのセンサとを備え、
前記タッチデバイスは、通話の開始を指示するためのタッチ式ボタンである開始ボタンと、通話の終了を指示するためのタッチ式ボタンである終了ボタンとを含み、
前記開始ボタンへの操作の後に、前記端末装置に対して予め規定された第１の動作がなされたことを検出することによって、前記端末装置が通話状態に移行したことを検出するための通話検出手段と、
前記通話状態において、前記終了ボタンへの操作を無効化するための制御手段とをさらに備え、
前記通話検出手段は、
前記センサで検出された前記端末装置の前記３方向の動きが前記３方向とも予め規定されたしきい値以上である場合に前記第１の動作がなされたと検出する、端末装置。
【請求項２】
前記通話検出手段は、前記端末装置が通話状態に移行後に、前記端末装置に対して予め規定された第２の動作がなされたことを検出することによって、前記通話状態が終了したことをさらに検出し、
前記制御手段は、前記通話状態の終了に応じて前記終了ボタンへの操作の無効化を解除する、請求項１に記載の端末装置。
【請求項３】
前記制御手段によって前記終了ボタンへの操作が無効化されていることを報知するための報知手段をさらに備える、請求項１または請求項２に記載の端末装置。
【請求項４】
通話機能を有する端末装置の制御方法であって、
前記端末装置はタッチデバイスと、
前記端末装置の長辺方向、短辺方向、および厚み方向の３方向の動きを検出するセンサとを有し、
前記タッチデバイスは、通話の開始を指示するためのタッチ式ボタンである開始ボタンと、通話の終了を指示するためのタッチ式ボタンである終了ボタンとを含み、
前記開始ボタンへの操作を検出するステップと、
前記開始ボタンへの操作の後に、前記通話検出手段が前記センサで検出された前記端末装置の前記３方向の動きが前記３方向とも予め規定されたしきい値以上であると検出することによって、前記端末装置が通話状態に移行したことを検出するステップと、
前記端末装置が前記通話状態である期間、前記終了ボタンへの操作を無効化するステップとを備える、制御方法。
【発明の詳細な説明】
【技術分野】
【０００１】
この開示は端末装置および制御方法に関し、特に、タッチデバイスを操作装置として有した、通話機能を有する端末装置および該端末装置の制御方法に関する。
【背景技術】
【０００２】
通話機能を有する端末装置として、スマートフォンなど、タッチパネルなどのタッチデバイスを搭載した携帯電話装置が広く普及している。このような端末装置では、通話中にタッチデバイスに耳や頬、指などが接触することによって誤操作してしまうことがある。
【０００３】
この課題に対して、たとえば特開２０１４−１６５７６９号公報は、音声処理部によって音声が入力または出力されているかによって通話状態か否かを判定し、通話状態と判定されると通話終了操作を無効にする携帯電話装置を提案している。
【先行技術文献】
【特許文献】
【０００４】
【特許文献１】特開２０１４−１６５７６９号公報
【発明の概要】
【発明が解決しようとする課題】
【０００５】
しかしながら、特開２０１４−１６５７６９号公報によって提案されている携帯電話装置では、ユーザが通話開始ボタンを押した直後に耳に当てたりタッチデバイスに触れたりした場合、無効化動作が効かずに通話終了などの誤動作が発生する可能性がある。
【０００６】
本開示のある局面における目的は、通話機能を有する端末装置において通話時の誤動作を効果的に防止できる端末装置を提供することである。また、本開示のある局面における目的は、通話機能を有する端末装置として、通話時の誤動作を効果的に防止できる端末装置の制御方法を提供することである。
【課題を解決するための手段】
【０００７】
ある実施の形態に従うと、端末装置は通話機能を有する。端末装置はタッチデバイスを備える。タッチデバイスは、通話の開始を指示するためのタッチ式ボタンである開始ボタンと、通話の終了を指示するためのタッチ式ボタンである終了ボタンとを含む。この端末装置は、開始ボタンへの操作の後に、端末装置に対して予め規定された第１の動作がなされたことを検出することによって、端末装置が通話状態に移行したことを検出するための通話検出手段と、通話状態において、終了ボタンへの操作を無効化するための制御手段とを備える。
【０００８】
他の実施の形態に従うと、制御方法は、通話機能を有する端末装置の制御方法である。端末装置はタッチデバイスを有する。タッチデバイスは、通話の開始を指示するためのタッチ式ボタンである開始ボタンと、通話の終了を指示するためのタッチ式ボタンである終了ボタンとを含む。この制御方法は、開始ボタンへの操作を検出するステップと、開始ボタンへの操作の後に、端末装置に対して予め規定された動作がなされたことを検出することによって、端末装置が通話状態に移行したことを検出するステップと、端末装置が通話状態である期間、終了ボタンへの操作を無効化するステップとを備える。
【発明の効果】
【０００９】
この開示によると、タッチデバイスを操作装置として有する携帯電話装置において、通話時の誤動作を効果的に防止できる。
【図面の簡単な説明】
【００１０】
【図１】実施の形態にかかる通話機能を有する端末装置の一例としての携帯電話装置の外観の一例を表わした概略図である。
【図２】携帯電話装置のハードウェア構成の一例を表わしたブロック図である。
【図３】携帯電話装置に電話が着信したときの画面表示の遷移の一例を表わした図である。
【図４】携帯電話装置の動作概要を説明するための図である。
【図５】携帯電話装置に搭載されたセンサの出力の時間経過を表わした図である。
【図６】携帯電話装置の機能構成の一例を表わしたブロック図である。
【図７】携帯電話装置の動作の流れを表わすフローチャートである。
【図８】携帯電話装置に搭載されたセンサの出力の時間経過を表わした図である。
【発明を実施するための形態】
【００１１】
以下に、図面を参照しつつ、本発明の実施の形態について説明する。以下の説明では、同一の部品および構成要素には同一の符号を付してある。それらの名称および機能も同じである。したがって、これらの説明は繰り返さない。
【００１２】
［第１の実施の形態］
＜装置構成＞
図１は、本実施の形態にかかる通話機能を有する端末装置の一例としての携帯電話装置１００の外観の一例を表わした概略図である。図１を参照して、携帯電話装置１００は、ある一面に表示装置および操作装置の一例としてのタッチパネル１３を備える。タッチパネル１３の配された面を、携帯電話装置１００の正面とする。
【００１３】
携帯電話装置１００の正面には、さらに、音声入力装置の一例としてのマイク１４と、音声出力装置の一例としてのスピーカ１５とが配される。音声出力装置はスピーカに限定されず、たとえばタッチパネル１３の振動による音声出力であってもよい。
【００１４】
図２は、携帯電話装置１００のハードウェア構成の一例を表わしたブロック図である。図２を参照して、携帯電話装置１００は、装置全体を制御するためのＣＰＵ（Central  Processing  Unit）１０と、ＣＰＵ１０で実行されるプログラムを記憶するためのＲＯＭ（Read  Only  Memory）１１と、ＣＰＵ１０でプログラムを実行する際の作業領域となったり各種データを記憶するためのＲＡＭ（Random  Access  Memory）１２とを含む。
【００１５】
さらに、携帯電話装置１００は、図１に表わされたように、タッチパネル１３と、マイク１４と、スピーカ１５とを含む。
【００１６】
タッチパネル１３には、操作装置の一例として、通話の開始を指示するためのタッチ式ボタンである開始ボタン１３１と、通話の終了を指示するためのタッチ式ボタンである終了ボタン１３２とが配される。タッチ式ボタンとは、物理的な押下ではなく、タッチによる操作を受け付けるボタンである。
【００１７】
開始ボタン１３１と終了ボタン１３２とは、タッチパネル１３に常に表示されていなくてもよい。すなわち、開始ボタン１３１は、電話の着信のあった場合にタッチパネル１３に表示されてもよい。終了ボタン１３２は、通話が開始した場合にタッチパネル１３に表示されてもよい。
【００１８】
さらに、携帯電話装置１００は、センサ１６と通信部１７とを含む。通信部１７は、携帯電話装置１００での電話通信を制御する。センサ１６は、携帯電話装置１００のユーザが当該携帯電話装置１００を用いてとった姿勢を検出する。
【００１９】
＜動作概要＞
本実施の形態にかかる携帯電話装置１００を用いて通話する際、ユーザは、携帯電話装置１００正面に配されたスピーカ１５を耳または耳付近に接触または接近させる。携帯電話装置１００正面にはタッチパネル１３が配されているため、通話時、耳や頬や手がタッチパネル１３に触れる場合がある。特に、タッチパネル１３自体がスピーカ１５として機能する場合には、通話時にタッチパネル１３がユーザの耳や頬に触れることになる。
【００２０】
タッチパネル１３には通話の終了を指示するための終了ボタン１３２が配されているため、通話時にタッチパネル１３にユーザの耳や頬や手が触れると、誤って終了ボタン１３２が操作されるおそれもある。特に、タッチパネル１３自体がスピーカ１５として機能する場合には、そのような誤操作の可能性が高まる。
【００２１】
そこで、本実施の形態にかかる携帯電話装置１００は、ユーザが携帯電話装置１００での通話を開始すると終了ボタン１３２の操作を無効化（ロック）し、通話中の誤操作を防止する。
【００２２】
図３（Ａ）および図３（Ｂ）は、携帯電話装置１００に電話が着信したときの画面表示の遷移の一例を表わした図である。携帯電話装置１００に電話が着信すると、タッチパネル１３には着信を報知するための図３（Ａ）の画面が表示される。図３（Ａ）の画面には、ユーザが通話の開始を指示するためのタッチ式ボタンである開始ボタン１３１が含まれる。
【００２３】
ユーザが図３（Ａ）の画面で開始ボタン１３１を操作することによって通話が開始されると、タッチパネル１３には終了ボタン１３２の操作が無効化（ロック）されていることを報知するための図３（Ｂ）の画面が表示される。図３（Ｂ）の画面では、終了ボタン１３２がグレーアウトするなどして、終了ボタン１３２の操作が無効化（ロック）されていることが示されている。好ましくは、図３（Ｂ）の画面には、ロックの解除を指示するためのボタンが含まれていてもよい。
【００２４】
図４は、本実施の形態にかかる携帯電話装置１００の動作概要を説明するための図である。図４を参照して、携帯電話装置１００は、電話が着信するとタッチパネル１３に開始ボタン１３１を表示し、ユーザからの通話開始の指示を受け付ける（ステップＳ１）。通話開始が指示され、さらに、第１の動作としての通話開始のための姿勢をとる動作をユーザが行なったことが検出されると、携帯電話装置１００は、終了ボタン１３２の操作を無効化（ロック）する（ステップＳ２）。通話開始のための姿勢をとる動作は、一例として、鞄の中やポケットの中や机上の携帯電話装置１００を手に取ってひねり、耳元に当てる動作である。携帯電話装置１００はこの動作が行なわれたことを検出した時点で終了ボタン１３２をロックする。
【００２５】
言い換えると、携帯電話装置１００は、開始ボタン１３１が操作されてからユーザが通話開始のための姿勢をとったことが検出されるまでの間は終了ボタン１３２をロックしない。これにより、ユーザが通話開始を指示してしまったものの、たとえば通話先を確認するなどして通話を開始する前に通話を終了したい場合に、終了ボタン１３２の操作が可能になる。
【００２６】
そして、携帯電話装置１００は、音声の入出力である通話の開始よりも以前のユーザが通話開始のための姿勢をとる動作が検出された時点で、終了ボタン１３２をロックする。これにより、ユーザが携帯電話装置１００を耳元に当て際に耳や頬や手などが終了ボタン１３２に接触して誤操作されることを防止できる。
【００２７】
なお、通話開始のための姿勢をとる動作は、ユーザごとに設定可能であってもよい。なぜなら、ユーザごとに携帯電話装置１００の通常の使用方法や使用頻度が異なり、それによって、通話開始のための姿勢や、その姿勢をとるための動作が異なるためである。たとえば、ユーザが携帯電話装置１００を通常側方のポケットに入れている場合、通話開始のための姿勢として携帯電話装置１００を耳に当てる場合には、通話開始のための姿勢をとる動作は、ポケットから取り出して１方向あるいは２方向のみひねって耳に当てる動作となる。またたとえば、ユーザが携帯電話装置１００からの楽曲などのコンテンツの出力をイヤホンで視聴している場合、通話開始のための姿勢として携帯電話装置１００をポケットや鞄から取り出して開始ボタン１３１にタッチし再度携帯電話装置１００を戻す場合には、通話開始のための姿勢をとる動作は、ポケットや鞄から取り出していったん水平（または略水平）にした後に元に戻す動作となる。そのため、好ましくは、携帯電話装置１００に対して予め規定された操作を行なった後、ユーザの所望する、通話開始のための姿勢をとる動作を行なうことで、携帯電話装置１００に当該姿勢をとる動作を検出するための計算値（しきい値）が設定されるように構成されてもよい。
【００２８】
携帯電話装置１００が、開始ボタン１３１が操作された後に上記の第１の動作である通話開始のための姿勢をとる動作が行なわれたことを検出することによって終了ボタン１３２への操作を無効化することによって、通話開始のためにユーザがボタン操作をした後に携帯電話装置１００を耳元に運ぶ、または耳に当てる、などの動作中に終了ボタン１３２が誤操作されることを防止することができる。
【００２９】
携帯電話装置１００は、ユーザが通話開始のための姿勢をとる動作をセンサ１６を利用して検出する。センサ１６として、たとえば、角速度を検出するためのセンサの一例であるジャイロセンサを用いることができる。以降の説明は、センサ１６がジャイロセンサであるものとする。
【００３０】
図５は、正面視で利用している状態の姿勢の携帯電話装置１００を、９０°ひねりながら持ち上げた際の、携帯電話装置１００に搭載されたセンサ１６による、ｘ，ｙ，ｚ方向それぞれの出力の時間経過を表わした図である。図５を参照して、ジャイロセンサであるセンサ１６の出力は、ｘ，ｙ，ｚ方向それぞれ、時間Ｐにおいて著しいピークを示している。図５の検出結果は、時間Ｐにおいて携帯電話装置１００に対して各方向へのひねり動作が加えられたことを表わしている。つまり、図５の検出結果は、時間Ｐにおいて、持ち上げられた携帯電話装置１００に対して耳元に接近させる動作が加えられた、すなわち、携帯電話装置１００のユーザが通話開始のための姿勢をとる動作を行なったことを示している。
【００３１】
そこで、図５に表わされたように、各方向の出力値のしきい値Ｔ１，Ｔ２［ｒａｄ／ｓ］を予め設定しておき、当該しきい値Ｔ１，Ｔ２を越える出力を検出することで、携帯電話装置１００は、ユーザが通話開始のための姿勢をとる動作を行なったことを検出することができる。しきい値Ｔ１，Ｔ２は、実験的に求められて、予め携帯電話装置１００に記憶されていてもよい。または、携帯電話装置１００のユーザが実際の携帯電話装置１００を用いて話開始のための姿勢をとる動作を行ない、当該動作から得られるセンサ１６の出力に基づいて携帯電話装置１００がしきい値Ｔ１，Ｔ２を設定し、記憶してもよい。
【００３２】
好ましくは、携帯電話装置１００は、開始ボタン１３１が操作された後にセンサ１６からのセンサ信号に基づいて通話開始のための姿勢をとる動作が検出されて、終了ボタン１３２への操作を無効化した後に、第２の動作としての通話終了のための姿勢をとる動作をユーザが行なったことを検出すると、上記無効化を解除する。通話終了のための姿勢をとる動作は、一例として、第１の動作である、通話開始のための姿勢をとる動作の逆順の動作である。第２の動作が上記の動作である場合、携帯電話装置１００は、上記しきい値Ｔ１，Ｔ２を用いてセンサ１６からのセンサ信号に基づいて第２の動作が行なわれたことを検出することができる。または、第１の動作と同様に、ユーザによって所望する動作が第２の動作として設定され、携帯電話装置１００が、当該動作に基づいて設定されたしきい値を用いて第２の動作が行なわれたことを検出してもよい。
【００３３】
携帯電話装置１００が、終了ボタン１３２への操作が無効化されている状態で上記の第２の動作である通話終了のための姿勢をとる動作が行なわれたことを検出することによって終了ボタン１３２への操作の無効化を解除することによって、ユーザが通話を終了するため姿勢をとった段階で終了ボタン１３２への操作が有効化されるために、ユーザの利便性を損なうことがない。
【００３４】
なお、上記の第２の動作の検出による終了ボタン１３２への操作の無効化の解除は必須ではない。たとえば、携帯電話装置１００は、終了ボタン１３２への操作を無効化した後、予め規定された期間経過した時点で当該無効化を解除してもよい。このようにすることによっても、上記したような、携帯電話装置１００を耳元に当てる際の誤操作を防止することは可能である。
【００３５】
さらに、予め規定された操作を受け付けることで、携帯電話装置１００は当該無効化を解除してもよい。このようにすることによって、ユーザの利便性をより確保することができる。
【００３６】
＜機能構成＞
図６は、上記動作を行なうための携帯電話装置１００の機能構成の一例を表わしたブロック図である。図６の各機能は、携帯電話装置１００のＣＰＵ１０がＲＯＭ１１に記憶されているプログラムをＲＡＭ１２上に読み出して実行することで、主に、ＣＰＵ１０によって実現される。しかしながら、少なくとも一部の機能が図２に表わされた他のハードウェア、または図示されていない電気回路などの他のハードウウェアによって実現されてもよい。
【００３７】
図６を参照して、携帯電話装置１００のＣＰＵ１０は、操作入力部１０１と信号入力部１０２とを含む。操作入力部１０１は、タッチパネル１３からの操作信号の入力を受け付けることで、ユーザの操作入力を受け付ける。信号入力部１０２は、ジャイロセンサであるセンサ１６からのセンサ信号の入力を受け付ける。
【００３８】
ＣＰＵ１０は、さらに、通話検出部１０３と、制御部１０４と、通話実行部１０５と、報知部１０６とを含む。
【００３９】
通話検出部１０３は、開始ボタン１３１への操作がなされたことを操作入力部１０１から通知され、その後に、信号入力部１０２によって入力が受け付けられたセンサ信号より携帯電話装置１００に対して通話開始のための姿勢をとる動作がなされたことが検出されることによって、当該携帯電話装置１００が通話状態に移行したことを検出する。具体的に、通話検出部１０３は、上記しきい値Ｔ１，Ｔ２を予め記憶しておき、ジャイロセンサであるセンサ１６からのセンサ信号が各方向ともしきい値Ｔ１またはしきい値Ｔ２を同時に超えたことが検出されると、携帯電話装置１００に対して通話開始のための姿勢をとる動作がなされたと判断する。
【００４０】
制御部１０４は、通話検出部１０３によって通話状態に移行したことが検出されると、通話状態において終了ボタン１３２への操作を無効化する。終了ボタン１３２への操作の無効化は、たとえば、終了ボタン１３２をタッチパネル１３に表示しないことで実現してもよいし、終了ボタン１３２に対するタッチを表わす操作信号を操作入力部１０１が受け付けた場合に当該操作信号に対して予め規定されている動作をＣＰＵ１０が行なわないことで実現してもよいし、終了ボタン１３２に対するタッチを表わす操作信号の入力を操作入力部１０１が受け付けないことで実現してもよい。
【００４１】
通話実行部１０５は、開始ボタン１３１への操作がなされたことを操作入力部１０１から通知されることで、通話を開始するように通信部１７を制御する。
【００４２】
報知部１０６は、通話中に図３（Ｂ）に表わされたような通話画面をタッチパネル１３に表示するにあたって、制御部１０４によって終了ボタン１３２への操作が無効化されている場合には、当該無効化を通話画面上で報知する。
【００４３】
好ましくは、ＣＰＵ１０は設定部１０７をさらに含む。設定部１０７は、上記しきい値Ｔ，Ｔ２を設定する。つまり、設定部１０７は、通話開始のための姿勢をとる動作を設定する。
【００４４】
＜動作フロー＞
図７は、携帯電話装置１００の動作の流れを表わすフローチャートである。図７のフローチャートに表わされた動作は、携帯電話装置１００のＣＰＵ１０がＲＯＭ１１に記憶されているプログラムをＲＡＭ１２上に読み出して実行し、図６の各機能を発揮することによって実現される。図７のフローチャートに表わされた動作は、携帯電話装置１００に電話が着信すると開始される。
【００４５】
図７を参照して、ＣＰＵ１０は、開始ボタン１３１がタッチされたことが検出されると（ステップＳ１０１でＹＥＳ）、通話の制御を開始する（ステップＳ１０３）。なお、着信から予め規定された期間、開始ボタン１３１がタッチされなかった場合には（ステップＳ１０１でＮＯ）、ＣＰＵ１０は、いわゆる不在着信と呼ばれる、通話を開始しないで着信を終了するための予め規定された処理を実行する（ステップＳ１０５）。
【００４６】
上記ステップＳ１０３で通話を開始した後、第１の動作である通話開始のための姿勢をとる動作が検出されると（ステップＳ１０７でＹＥＳ）、ＣＰＵ１０は、終了ボタン１３２に対する操作を無効化（ロック）する（ステップＳ１０９）。好ましくは、ＣＰＵ１０は、終了ボタン１３２に対する操作が無効化されていることを通話画面に表示するなどしてユーザに報知する（ステップＳ１１１）。
【００４７】
好ましくは、終了ボタン１３２に対する操作が無効化されている状態において、第２の動作である通話終了のための姿勢をとる動作が検出されると（ステップＳ１１３でＹＥＳ）、ＣＰＵ１０は、終了ボタン１３２に対する操作の無効化を解除する（ステップＳ１１５）。上記ステップＳ１１１で終了ボタン１３２に対する操作の無効化をユーザに報知している場合、ＣＰＵ１０は、当該報知を終了する（ステップＳ１１７）。
【００４８】
その後、終了ボタン１３２がタッチされたことが検出されると（ステップＳ１１９でＹＥＳ）、ＣＰＵ１０は通話の制御を終了する（ステップＳ１２１）。そして、ＣＰＵ１０は、一連の動作を終了する。
【００４９】
なお、開始ボタン１３１がタッチされた後に第１の動作である通話開始のための姿勢をとる動作が検出されなかった場合（ステップＳ１０７でＮＯ）、ＣＰＵ１０は、上記ステップＳ１０９〜Ｓ１１７の動作、つまり、終了ボタン１３２に対する操作を無効化するための動作をスキップしてもよい。この場合、携帯電話装置１００での通話は開始されるものの、終了ボタン１３２に対する操作は無効化されない。しかしながら、開始ボタン１３１がタッチされた後に上記第１の動作が検出されない場合は、一例、携帯電話装置１００をポケットや鞄の中、または机上に置いたまま、タッチパネル１３またはリモートコントローラ（不図示）などで開始ボタン１３１が操作されたのみで、耳に当てないで通話が開始されている場合である。具体的には、ユーザが携帯電話装置１００にイヤホンを接続し、該イヤホンを用いて通話する場合、または、スピーカ１５の出力音量を大きくして耳に当てないで通話する場合、などである。このような場合には、終了ボタン１３２への誤操作の可能性が低いため、ＣＰＵ１０が終了ボタン１３２に対する操作を無効化する動作をスキップしても誤操作を抑えることができる。
【００５０】
＜実施の形態の効果＞
本実施の形態にかかる携帯電話装置１００において以上の動作が行なわれることによって、ユーザが特別な設定や操作を行なうことなく、また、ユーザの利便性を損なうことなく、通話時の誤操作を効果的に防止することができる。
【００５１】
［第２の実施の形態］
携帯電話装置１００は、上記第１の動作である通話開始のための姿勢をとる動作や上記第２の動作である通話終了のための姿勢をとる動作を、ジャイロセンサとは異なるセンサ１６を用いて検出してもよい。第２の実施の形態にかかる携帯電話装置１００は、センサ１６として加速度センサを備える。第２の実施の形態にかかる携帯電話装置１００の外観、その他のハードウェア、および機能構成は第１の実施の形態にかかる携帯電話装置１００のものと同様であるため、説明を繰り返さない。
【００５２】
図８は、正面視で利用している状態の姿勢の携帯電話装置１００を、９０°ひねりながら持ち上げた際の、携帯電話装置１００に搭載された加速度センサであるセンサ１６による、ｘ，ｙ，ｚ方向それぞれの出力の時間経過を表わした図である。図８を参照して、センサ１６の出力は、ｘ，ｙ，ｚ方向それぞれ、時間Ｐ’において著しい変化を示している。図８の検出結果は、時間Ｐ’において携帯電話装置１００に対して各方向への急激な速度変化が生じたことを表わしている。つまり、図８の検出結果は、時間Ｐ’において、持ち上げられた携帯電話装置１００に対して耳元に接近させる動作が加えられた、すなわち、携帯電話装置１００のユーザが通話開始のための姿勢をとる動作を行なったことを示している。
【００５３】
そこで、各方向の出力値の傾きのしきい値を予め設定しておき、当該しきい値を越える出力値の変化を検出することで、携帯電話装置１００は、ユーザが通話開始のための姿勢をとる動作を行なったことを検出することができる。上記しきい値もまた、実験的に求められて、予め携帯電話装置１００に記憶されていてもよい。または、携帯電話装置１００のユーザが実際の携帯電話装置１００を用いて話開始のための姿勢をとる動作を行ない、当該動作から得られるセンサ１６の出力に基づいて携帯電話装置１００がしきい値を設定し、記憶してもよい。
【００５４】
図８に示されるように、第２の実施の形態にかかる携帯電話装置１００は、第１の実施の形態のかかる携帯電話装置１００と同様の動作を行なうことで、加速度センサであるセンサ１６を利用して、適切に、終了ボタン１３２に対する操作を無効化することができる。つまり、第２の実施の形態にかかる携帯電話装置１００においても上記動作が行なわれることによって、ユーザが特別な設定や操作を行なうことなく、また、ユーザの利便性を損なうことなく、通話時の誤操作を効果的に防止することができる。
【００５５】
［第３の実施の形態］
なお、センサ１６は、第１の実施の形態および第２の実施の形態に示されたように、１種類のセンサのみでなくてもよい。つまり、センサ１６は、複数種類のセンサの組み合わせであってもよい。たとえば、携帯電話装置１００は、ジャイロセンサと加速度センサとの両方を用いて第１の動作である通話開始のための姿勢をとる動作や上記第２の動作である通話終了のための姿勢をとる動作を検出してもよい。この場合、第３の実施の形態にかかる携帯電話装置１００として複数種類のセンサを利用して上記動作を検出する携帯電話装置１００は、センサごとにしきい値を記憶しておく。そして、第３の実施の形態にかかる携帯電話装置１００は、すべてのセンサの出力値または出力値から得られる値（たとえば出力値の変化量）がしきい値を越えた場合に、上記動作が行なわれたと検出してもよい。または、第３の実施の形態にかかる携帯電話装置１００は、複数種類のセンサのうちの少なくとも１つの種類のセンサの出力値または出力値から得られる値（たとえば出力値の変化量）がしきい値を越えた場合に、上記動作が行なわれたと検出してもよい。
【００５６】
このように構成されることによっても、第３の実施の形態にかかる携帯電話装置１００においてユーザが特別な設定や操作を行なうことなく、また、ユーザの利便性を損なうことなく、通話時の誤動作を効果的に防止することができる。
【００５７】
＜その他＞
開示された特徴は、１つ以上のモジュールによって実現される。たとえば、当該特徴は、回路素子その他のハードウェアモジュールによって、当該特徴を実現する処理を規定したソフトウェアモジュールによって、または、ハードウェアモジュールとソフトウェアモジュールとの組み合わせによって実現され得る。
【００５８】
上述の動作を携帯電話装置に実行させるための、１つ以上のソフトウェアモジュールの組み合わせであるプログラムとして提供することもできる。このようなプログラムは、コンピュータに付属するフレキシブルディスク、ＣＤ−ＲＯＭ（Compact  Disk-Read  Only  Memory）、ＲＯＭ、ＲＡＭおよびメモリカードなどのコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【００５９】
なお、本開示にかかるプログラムは、コンピュータのオペレーティングシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも、本開示にかかるプログラムに含まれ得る。
【００６０】
また、本開示にかかるプログラムは他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも、本開示にかかるプログラムに含まれ得る。
【００６１】
提供されるプログラム製品は、ハードディスクなどのプログラム格納部にインストールされて実行される。なお、プログラム製品は、プログラム自体と、プログラムが記録された記録媒体とを含む。
【００６２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００６３】
１０  ＣＰＵ、１１  ＲＯＭ、１２  ＲＡＭ、１３  タッチパネル、１４  マイク、１５  スピーカ、１６  センサ、１７  通信部、１００  携帯電話装置、１０１  操作入力部、１０２  信号入力部、１０３  通話検出部、１０４  制御部、１０５  通話実行部、１０６  報知部、１０７  設定部、１３１  開始ボタン、１３２  終了ボタン。
【図１】
0006552272.tif 000002
【図２】
0006552272.tif 000003
【図３】
0006552272.tif 000004
【図４】
0006552272.tif 000005
【図５】
0006552272.tif 000006
【図６】
0006552272.tif 000007
【図７】
0006552272.tif 000008
【図８】
0006552272.tif 000009